(57)【特許請求の範囲】
【請求項１】
液体不透過性バックシートと、
バックシートに接続された液体透過性トップシートと、
トップシートとバックシートとの中間に配置された吸収コアと、
トップシートとバックシートとの間に配置された膨張可能部材とを有し、
膨張可能部材は、密封空間を形成する空気不透過性エンベロープと、空気不透過性エンベロープの密封空間内に配置された圧縮された弾性部材を有し、
前記膨張可能部材は、空気不透過性エンベロープの密封空間を開放することにより圧縮された弾性部材が膨張し、第１の厚さから第１の厚さより厚い第２の厚さに膨張可能であることを特徴とする使い捨て吸収材製品。
【請求項２】
前記弾性部材が、多孔性であることを特徴とする請求項１に記載の使い捨て吸収材製品。
【請求項３】
前記弾性部材が、開放したセルフォームであることを特徴とする請求項１または２に記載の使い捨て吸収材製品。
【請求項４】
前記第２の厚さが、前記第１の厚さの少なくとも２倍であることを特徴とする請求項１ないし３のいずれか１項に記載の使い捨て吸収材製品。
【請求項５】
前記空気不透過性エンベロープが、閉鎖体を有するポートを有することを特徴とする請求項１ないし４のいずれか１項に記載の使い捨て吸収材製品。
【請求項６】
前記閉鎖体が、ポートに対して解放可能であることを特徴とする請求項５に記載の使い捨て吸収材製品。
【請求項７】
前記膨張可能部材が、前記バックシートと前記吸収コアとの中間に配置されていることを特徴とする請求項１に記載の使い捨て吸収材製品。
【請求項８】
前記使い捨て吸収材製品が、使い捨ておむつであり、前記膨張可能部材は、前記トップシートと前記バックシートとの中間に配置されたスペーサを有し、Ｚ方向の便空所スペースを維持することを特徴とする請求項１ないし７のいずれか１項に記載の使い捨て吸収材製品。
【請求項９】
前記膨張可能部材が、前記使い捨て吸収材製品と着用者の皮膚との間から身体の排泄物の漏れを低減するためのシールの少なくとも一部を有することを特徴とする請求項１ないし７のいずれか１項に記載の使い捨て吸収材製品。
【請求項１０】
レグカフを有し、前記レグカフが、膨張可能部材を有することを特徴とする請求項９に記載の使い捨て吸収材製品。
【請求項１１】
前記使い捨て吸収材製品が、前縁、後縁、長手方向縁、長手方向中心線及び横方向中心線を有する生理用ナプキンであることを特徴とする請求項１ないし７のいずれか１項に記載の使い捨て吸収材製品。
【請求項１２】
前記圧縮された弾性部材は、生理用ナプキンの長手方向中心線に整合した長手方向に伸びる部分を有することを特徴とする請求項11に記載の使い捨て吸収材製品。
【発明の詳細な説明】
発明の分野
本発明は、使い捨て吸収材製品を使用する時点で膨張可能な消費者作動部品を有する使い捨て吸収材製品に関する。
発明の背景
使い捨て吸収材製品は、尿、大便、生理等のような身体からの排泄物を吸収して保持するために使用される。使い捨て吸収材製品の特に望ましい特徴は、吸収材製品と着用者との間の身体の排泄物の漏れを最小限にするように身体の排泄物を獲得し保持する能力である。
大便を収容することを補助するスペーサが付加された使い捨て吸収材製品に関する参考例がある。このようなスペーサは、使い捨て吸収材製品の初期の厚さを増大し、それによって搬送収容のコストが増大する欠点がある。また、このようなスペーサは、おむつを着用者に適用する前の厚さが、着用者にとって不快を感じる場合がある。また、スペーサの例は、次の参考例に示されている。すなわち、1993年１月５日にブルエンマ等に発行された米国特許第5,176,672号、1992年12月15日にドレエール等に発行された米国特許第5,171,236号、アレン等によって1992年６月11日に出願された使い捨て吸収材製品に使用されるスペーサ及びこのようなスペーサを有する使い捨て吸収材と題された米国特許第07/898,047号がある。
このような他の参考例は、膨張可能な構造を有する吸収材製品を示している。レフェブールの名称で1985年12月20日に発行されたフランス特許出願第2,561,078号は口によって膨張可能な構造を有するおむつを示している。このような膨張は、特にパブリック領域で、またはおむつがすでに着用者に固定されているときに不便で不都合である。また、このような構成は、衛生上の観点から不利である。
1975年５月６日及び1975年11月25日に発行された米国特許第3,881,491号は、自己膨張構造を有する使い捨て吸収材製品を示している。この自己膨張構造は、身体からの排出液が通過する半透過性材料の壁と、アクチベータ材料（例えば、尿）と反応して構造を膨張させる材料を含むガスとを有する。ホワイトによる構造は、主にコアが圧縮されることを防止し、尿のような外部源からのアクチベータ材料を必要とする欠点がある。着用者は、構造を適当に膨張させるために所望の時間に所望の場所に所望の量の排尿を行わない。アール等の名称で1993年６月23日に出願された米国特許出願第08/081,733号及びラボン等の名称で1993年６月23日に出願された米国特許第08/081,733号は、膨張可能なおむつ部材を示しており、これは２つの異なる材料の部材または混合物が濡れることを必要とする。
従って、本発明の目的は、吸収材製品が着用者に固定される前後に着用者によって、または着用者を介護する者によって吸収材製品を使用する時点で膨張可能な部材を有する使い捨て吸収材製品を提供することである。
また本発明の目的は、スペーサが濡れないでもスペーサの厚さが増大し、スペーサの厚さが消費者または着用者によって選択された時間で厚くなるように作動する、便空所スペースを保持するスペーサを有するおむつを提供することである。
本発明の他の目的は、生理用ナプキンのバックシートに関してトップシート及びコアの分離及び上昇及び生理用ナプキンの長手方向の中心線に沿って生理用ナプキンの厚みを増大するために生理用ナプキンの使用時点で膨張可能な部品を有する生理用ナプキンを提供することである。
本発明の他の目的は、空気不透過性エンベロープに配置された圧縮弾性部材を有する膨張可能な部材を備えた吸収材製品を提供することである。
発明の概要
空気不透過性エンベロープは、解放可能な閉鎖体を有するポートを有する。解放可能な閉鎖体は、ポートを通してエンベロープに空気を入れることができるようにするために使い捨て吸収材製品の使用時点で取り外すことができ、それによって膨張可能な部品を膨張することができる。１つの実施例において、解放可能な閉鎖体は、膨張可能な部材が圧縮負荷を受けるときポートに引かれた空気が逃げないように解放可能である。
弾性部材は多孔性であり、その結果、解放可能な閉鎖体がポートから外されるとき、弾性部材の膨張によって弾性部材に並びに弾性材料によって占められていないエンベロープの空隙に空気が引き込まれる。この実施例において、弾性部材は、開放セルポリマーフォームを有する。
膨張可能な部材は、トップシートの身体に面する面に、バックシートの下着に面する面に、またはトップシート及びバックシートの間に配置することができる。１つの実施例において膨張可能な部材は、バックシートと吸収コアとの中間に配置されている。膨張可能な部材は、使い捨ておむつの便空所スペースを維持するスペーサを有する。別の例として、膨張可能な部材は、ウエスト領域または使い捨ておむつのサイド境界にシールを提供する。他の実施例において、膨張可能な部材は、バックシートに関してトップシート及びコアを上昇させ、生理用ナプキンの長手方向の中心線に沿って生理用ナプキンの厚みを増大するために生理用ナプキンの長手方向の中心線に沿って配置される。
【図面の簡単な説明】
第１図は、便空所スペースを維持するためのキーホール形状のスペーサと、着用者のウエスト領域及びサイド境界に配置されたシールとを有する膨張可能な部材を示すためにトップシート及び吸収コアの部分が破断されて示されている使い捨ておむつの平面図である。
第２図は、後方で開放したＵ形状のスペーサと、サイド境界にレグカフのシールを含むシールとを提供する（点線で）示された膨張可能な部材が示されている第１図の平面図と同様の使い捨ておむつの平面図である。
第３図は、膨張可能な部材を圧縮形状で示す第１図の線３−３に沿った断面図である。
第４図は、膨張可能な部材を膨張した形状で示す図３と同様な断面図である。
第５図は、空気不透過性エンベロープのポートの一部及びポートをカバーする解放可能な閉鎖体の拡大図である。
第６図は、レグカフに配置された膨張可能な部材を含むおむつのサイド境界に配置された膨張可能な部材を示す図２の線６−６に沿って切った断面図である。
第７図は、個々に包まれた生理用ナプキンの正面図である。
第８図は、広がった状態で示され、生理用ナプキンの長手方向の中心線に沿って伸びる（点線で示した）膨張可能な部材を有する個々に包まれた第７図の生理用ナプキンの平面図である。
第９図は、圧縮された形状の膨張可能な部材を示す図８の線９−９に沿った断面図である。
第10図は、拡張した形状の膨張可能な部材を示す図８の線９−９に沿った断面図である。
第11図は、本発明による膨張可能な部材を形成する方法を示す概略図である。
発明の詳細な説明
ここに使用する用語の“吸収材製品”は、身体からの排泄物を吸収し、収容する装置、さらに詳細には身体から排泄された種々の排泄物を吸収し収容するために着用者の身体に対して、またはその近傍に配置される装置を言う。このような吸収材製品は、おむつ、訓練用パンツ、失禁用パンツ、おむつホルダ、おむつライナ及び生理用ナプキン、パンティライナ等のような婦人用の生理用品を含むがそれには制限されない。用語の“使い捨て”は、洗濯され、復元されるかまたは吸収材製品として再使用することを意図しない吸収材製品を説明するために使用される（すなわち、それらは１回使用した後に廃棄され、好ましくは、リサイクル、組み立てるか環境上矛盾のない方法で廃棄される）。
本発明の吸収材製品の１つの実施例は、第１図に示す１つの使い捨ておむつ20である。ここで使用する用語の“おむつ”は、幼児及び着用者の下胴の周りに着用される吸収材製品を言う。第１図は、おむつ20の構造をさらにはっきりと示すために破断され、着用者に面するか接触するおむつ20の部分、すなわち内面が見る者に向くように、平坦な収縮されない状態（すなわち、弾性誘導収縮プルアウト）で示されている本発明のおむつ20の平面図である。第１図に示されるおむつ20は、前方ウエスト領域22と、後方ウエスト領域24と、クロッチ領域26と、長手方向の縁部30及び前方及び後方の側縁32A及び32Bを有する周縁28とを有する。またおむつ20は、側方の中心線と長手方向の中心線36とを有する。
ここで使用する“長手方向”の寸法、方向は、おむつ20の軸線が、使い捨て吸収材製品を着用するとき着用者に関して前方及び後方に整合する。おむつ20の“側方”または“横断方向”の寸法、方向または軸線は、長手方向に直角であり、おむつ20を着用するとき、整合する横方向である。“Ｚ方向”は、長手方向及び横断方向の双方に直角であり、これは第３図に示されている。
前方ウエスト領域22及び後方ウエスト領域24は、着用するとき着用者のウエストを包囲するおむつの部分であり、着用者が直立した状態にあるときおむつ20の最も高い部分である。クロッチ領域26は前方及び後方のウエスト領域22,24の間に配置され、着用したときに着用者の足の間になる領域である。
第１図乃至第３図に示すように、おむつ20は液体透過性トップシート38と、少なくともトップシート38に周縁が接続されている液体不透過性バックシート42と、トップシート38及びバックシート42の中間に配置されている吸収コア44とを有する。吸収コア44は、前方及び後方で側方に伸びる端部45A及び45Bと側縁45C及び45Dとを有する周縁45を有する。吸収コア44は前方及び後方のウエスト領域22,24には長手方向には伸びていないが、前方及び後方で側方に伸びる端部45A及び45Bでクロッチ領域26で終結する。おむつ20は、吸収コアの側縁45C及び45Dからおむつ20の長手方向の縁部30まで側方に伸びているサイド境界58を有する。サイド境界58は、吸収コアの側縁45C及び45Dから側方外側に伸びているトップシート38及び／またはバックシート42の部分を含む。
おむつ20は、使用中に着用者の身体に隣接するように配置されたおむつの部分から成る身体に面する面を有する（すなわち、表面39は、トップシート38の少なくとも一部によって形成されている）。おむつは下着に面する面43（第３図参照）を有し、その面43は、着用者の身体から離れるように配置されているおむつ20の部分を有する（すなわち、下着に面する面43は、バックシート42の少なくとも一部によって形成され、バックシート42に接続された他の部材を有することもできる）。
本発明によるおむつ20は、第３図に示す第１の厚さT1を有する圧縮された形状から第４図に示すT1より大きい第２の厚さT2を有する膨張された形状まで膨張可能な少なくとも１つの部材200を有する。圧縮された形状において、膨張可能な部材200は、不透過性エンベロープ220内に配置された圧縮された弾性部材215を有する。空気不透過性のエンベロープ220は、解放可能な閉鎖体250を有するポート222を有する。
圧縮された弾性部材215は、密封された空気不透過性のエンベロープ220内で膨張しない。なぜならば、圧縮された弾性部材215の膨張は、密封された空気不透過性エンベロープ220内でその容積を増大させ、それによって空気不透過性エンベロープ220内の空気圧を低下させるのに、空気不透過性のエンベロープ220は密封状態を維持して内部空気の空気圧を低下させないからである。従って、密封されたエンベロープ220の外側の比較的一定の大気圧は、密封された空気不透過性エンベロープ220内で弾性部材215が膨張することを防止する。空気がポート222を通ってエンベロープ220に入ることができるように閉鎖体250を開放することによって空気不透過性エンベロープ220を開放するときに、膨張可能な部材200は第３図に示す圧縮された形状の第１の厚さT1から所定の形状及びT1より大きい第２の厚さT2（第４図参照）とを有するように膨張可能である。第２の厚さT2は、厚さT1の少なくとも２倍が好ましい。
用語の“圧縮”は、自由で、部材215の拘束されない厚さ未満の密封された空気不透過性のエンベロープ220内での小さい厚さを有することを意味する。密封されたエンベロープ220の弾性部材215の小さい厚さは、自由で拘束されない部材215の厚さ未満であることが好ましい。用語の“弾性”は、部材215は自由で拘束されない厚さから小さい厚さまで圧縮することができ、部材215を圧縮された形状に維持する力を開放したとき、約10分以内に部材215が、自由で拘束されない厚さの少なくとも１つの70パーセント、好ましくは、少なくとも85％の厚さを有するように拡張されることを意味する。
またおむつ20はおむつ20を着用者に固定するために後方のウエスト領域24に配置されたテープタブまたは機械的な固定具のような一対の固定具54を有する。おむつは、ウエスト弾性体（図示せず）と、ガスケットカフ（図示せず）と、おむつ20のサイド境界58に結合された近位縁62を有するバリヤレグカフ60（第２図乃至第６図参照）と、トップシート38から間隔をおいた遠位縁64とを有する。1974年11月19日にブエルに付与された米国特許第3,848,594号及び1987年５月５日にヒロツ等に再付与された米国特許第B14,664,875号は、適当なテープタブ固定具54を示すために参考によりここに組み込まれている。1975年１月14日にブエルに付与された米国特許第3,860,003号,1978年３月28日にブエルに付与された米国特許第4,081,301号、1987年９月22日にローソンに付与された米国特許第4,695,278号及び1990年７月３日にフォアマンに付与された米国特許第4,938,755号はガスケットカフ及びバリヤレグカフ60を説明するために参照によりここに組み込まれている。1985年５月17日にキービトに付与された米国特許第4,515,595号及び1989年３月28日にフォアマンに付与された米国特許第4,816,025号はおむつ20の弾性ウエストバンドを説明するために参照によりここに組み込まれている。
１つの実施例において、膨張可能な部品200は、第１図乃至第４図に示すような、Ｚ方向に便空所スペーサ311を維持するためにトップシート38とバックシート42の中間に配置されたスペーサ300を有する。図面に示すように、スペーサ300は吸収コア44とバックシート42の中間に配置されている。他の実施例において、膨張可能な部材200は、前方及び後方のウエスト領域22及び24から身体の体液の漏れを防止するシール400A及び400B及びサイド境界58から排出された身体からの液体が漏れることを防止する400C及び400Dのようなシールを有する。他の実施例において、膨張可能な部材200は第２図に破線で示すようにまたぢ６ずに断面図で示すようにシール400Eを有する。
おむつ20の部材を参照すると、第１図は、トップシート28及びバックシート42が吸収コア44より大きい長さを有するおむつ20の実施例を示す。トップシート38及びバックシート42は側方に伸びるコア端部45A及び45Bを越えて長手方向に伸び、前方及び後方のウエスト領域22及び24を形成する。トップシート38及びバックシート42はコア側縁45C及び45Dを越えて側方に伸びサイド境界58を形成する。トップシート38、バックシート42及び吸収コア44は種々の公知の形状に組み立てることができるが、好ましいおむつの形状は1975年１月14日にブエルに付与された米国特許第3,860,003号及び1992年９月29日にブエルに発行された米国特許第5,151,092号に示されている。
第１図に示されるおむつ300は全体が閉鎖形状の“キーホール”形を有する。スペーサ300の他の適当な閉鎖形状は円形、正方形及び楕円のような細長い形状及び矩形を含むが、それには制限されない。別の案として、スペーサ300は、第２図に示すような後方が開放したほぼＵ形状のような開放形状を有する。スペーサ300は２つの長手方向に伸びる部分322を結合する側方に伸びる部分320を有する。スペーサ300の適当な形状及び寸法は、ラボン等の名称で1993年６月23日に出願された米国特許出願第08/081,536号、アール等の名称で1993年６月23日に出願された米国特許第08/081,733号、アレン等の名称で1992年６月23日に出願された米国特許第07/898,047号、及び1992年12月15日にドレイアル等に付与された米国特許第5,171,236号に示されており、これらは参照によってここに組み込まれている。
膨張可能な部材200が便空所容積スペーサ300と、トップシート38とを有し、吸収コア44は、開口部46及び47をそれぞれ有する（開口部46は第１図に点線で示されている）。開口部46及び47は、着用者の肛門から空所スペース311に便が連通する通路を形成するように第４図に示すように、互いに整合している。
ここに使用する“空所スペース”はトップシート38とバックシート42との中間の空洞であり、この空洞は便を受けるような寸法である。好ましくは、空所スペースは、少なくとも約0.65センチメートル（0.25インチ）のＺ方向の高さと、少なくとも約16.4立方センチメートル（1.0立方インチ）の容積を有する。空所空隙311の容積は、吸収コア44がトップシート38とバックシート42の間で着用者の体重で圧縮される場合には空所スペース311の容積を低減することができる。第２の厚さT2まで膨張するときにはスペーサ300は便を受けるように空所スペース311を維持する補助をする。
トップシート38及びバックシート42は、ほぼ同一平面であり、少なくとも周縁の一部が一緒に結合されている。個々に使用する用語の“結合”は、第１の部材及び部品が、第２の部材または部品に直接結合されるか、または第１の部材または部品が、第２の部材または部品に結合されている中間部材または部品に直接または間接的に固定または結合されている状態を含む。
トップシート38及びバックシート42は接着剤結合、加熱シール、超音波結合等のような技術分野でよく知られた手段によって結合される。トップシート38及びバックシート42を結合する適当な接着剤は、オハイオ州コロンバスのセンチュリ接着剤社によって製造されたセンチュリー5227、ミネソタ州セントポールのH.Bフューラ社によって販売されているセンチュリー5227と、ウイスコンシン州のフィンドリー接着剤社によって製造された高温溶融接着剤とを含む。接着剤は、ビード、バンドまたは螺旋形状に適用される。
ここに使用するような用語の“吸収コア”は、身体からの排泄物を吸収し、保持するために使用されるおむつの部品を言う。吸収コア44は対向する主面を有し、所望ならば、１つまたはそれ以上の組織層（図示せず）によって包まれる。吸収コア44は、通常エアフェルトと称される細かくされた木のパイプのような通常使用される種々の材料から製造される。所望ならば、吸収コア44は、当業者において通常使用されるような吸収ゲル材料を含む。所望ならば、吸収コア44は、通常よく使用されるような吸収ゲル材料を含む。特に、吸収コア44は、ワイズマン等によって1986年９月９日に付与された米国特許第4,610,678号,1987年６月16日にワイズマンに付与された米国特許第4,673,402号,1989年５月30日にアレマニー等に付与あれた米国特許第4,834,735号,1990年９月15日にヤング等に付与された米国特許第5,147,345号,1993年６月８日にクック等に付与された米国特許第5,217,445号及び1993年８月10日にアレマニー等に付与された米国特許第5,234,423号によって製造される。これらの特許は、本発明と共に使用するのに適した吸収コア44をどのように製造するかを示す目的で参照することによってここに組み込まれている。ブランド等に1988年４月19日に付与された米国特許第Re32,649号によって製造される吸収ゲル材料は、本発明によるおむつに使用するために適している。
コア44は第３図に示すように、トップシート38の下側に結合されている。別の例としては、コア44は、バックシート42に取り付けることができ、コア44は、２つまたはそれ以上の層を有する。適当な取付装置は接着剤のビード及び接着剤の長手方向及び横断方向のバンド及び螺旋を含むがそれには制限されない。コア44をおむつ20の他の部品に結合する適当な接着剤は、ミネソタ州セントポールのミネソタマイニング製造会社によって製造されたXPO−９−035接着剤、並びにセンチュリ5227、ヒューラHL1258及びフィンドリH2031接着剤を含む。
第１図を参照すると、“トップシート”は、おむつ20の液体透過面を言い、この面は、おむつ20を着用する間、着用者の皮膚と接触し、吸収コア44と着用者の皮膚の接触を防止する。トップシート38は、柔軟で感触がよく、着用者の皮膚を刺激しないものが好ましい。トップシート38は身体のに排泄物を吸収コア44にさらに容易に搬送するように親水性になるように処理することができる。
適当なトップシート38は、多孔性フォーム、有孔プラスティックフィルム、天然繊維（例えば、木の繊維または木綿の繊維）、合成繊維（例えば、ポリエステルまたはポリプロピレン繊維またはそれらの組み合わせのような材料から製造される。特に好ましいトップシート38は、約2.2デニール及び約15.9ミリメートル（0.62インチ）の長さを有するポリプロピレン繊維を有する。トップシート38は、多数の技術によって製造される。例えば、トップシート38はスパンボンド加工、カード加工、ウエットレイド、メルトブロー、ヒドロエンタングル、上述したものの組み合わせの不織布を有する。１つの適当なトップシート38はカード加工され、熱結合され、１平方メートル当たり約18乃至25グラムの基礎重量を有する。適当なトップシート38はマサチューセッツのワールポールの国際製紙会社のベラティック社によってＰ−８の下に製造されている。
開口部46及び47は、長手方向の軸線36と側方に中心が一致している。開口部46は、所望の形状をとることができ、適当な形状は、１つの実施例において少なくとも約5.1センチメートル（2.0インチ）の長手方向の寸法及び少なくとも約3.8センチメートル（1.5インチ）の横方向の寸法を有する楕円である。開口部46の最も後端の縁部は、着用している間におむつ20の後縁32Bから少なくとも約15.2センチメートル（6.0インチ）の場所に配置される。１つの実施例において、開口部46の最後縁部は着用したとき、おむつ20の後縁32Bから約17.8センチメートル（7.0インチ）と約21.6センチメートル（8.5インチ）との間にある。もちろん開口部46の場所及び寸法は異なる寸法の着用者に対応するために変化することができる。
開口部47は、開口部46と整合し、開口部46の形状と同様か類似する形状を有する。好ましくは、スペーサ300は、開口部46または開口部47を妨げないように及び各開口部46及び47の少なくとも一部がスペーサ300の長手方向に伸びる部分322の中間に配置されるように開口部46及び47と整合する。別の例として、スペーサ300は、トップシート38の身体に面する面に結合することができる。また別の例としてスペーサ300はトップシート38の身体に面する結合することができる。
バックシート42は、尿のような液体を透過しない性質を有し、吸収コア44によって吸収され収容された液体が下着、衣服及びベッドを濡らすことを防止する。ここに使用するような用語の“バックシート”は、おむつ20を着用するときに吸収コア44の外側に配置され、おむつ20内に吸収された液体を含む障壁を言う。バックシート42は、薄い熱可塑性フィルムから製造されるが、他の可撓性液体不透過性材料を使用することもできる。ここに使用することができるような用語“可撓性”は、柔軟で、人間の身体の全体形状及び輪郭に容易に適合する材料を言う。
バックシート42は、ポリエチレンまたはポリプロピレンまたはフィルムコート不織布のような複合材料を有する。バックシート42は、約0.01ミリメートル乃至約0.051ミリメートル（0.0004乃至0.002インチ）の厚さを有する熱可塑性フィルムを有する。所望ならば、バックシート42は布状の外観を提供するようにエンボスまたはマット仕上げされる。バックシート42を形成することができる適当な材料は、約0.010mm乃至約0.051mmの厚さを有するポリプロピレンフィルムである。適当なポリプロピレンフィルムは、インディアナ州のテレホーテのテレデガール工業によってＰ−18−1401の下にX8297及びHTS−5FSIIによって製造されている。バックシートを形成する他の適当な材料は、テレデガール社によって製造さけたRR8220ブローフィルムとRR5475のカストフィルムを有する。
別の例としてトップシート38及びバックシート40の一方または双方は、伸長性を有すようにしてもよく、エラストマーまたは伸長可能なフィルムから形成される。伸長可能な部材は、1993年２月４日に発行された“伸長可能な使い捨て吸収材”と題された国際特許公開番号第93/01785号に示されており、この書類は参照により個々に組み込まれている。例えば、バックシート42またはバックシート42の部分は、構造的な弾性状のフィルム（SELF）ウエブを有する。構造的な弾性フィルムウエブは、さらに弾性材料を付加して使用することなく長手方向に弾性状の動きを生じる。SELFウエブは、少なくとも２つの隣接し、明確な及び非類似の領域を有する伸長可能な網状組織を有する。領域の一方は、他の領域の大部分が伸びて大きな抵抗力が形成される前に、所定の軸線に平行な方向に軸線方向の伸びに応答する抵抗力が生じるように形成されている。少なくとも１つの領域は、材料が伸長されない状態にある間所定の軸線にほぼ平行に測定されるように他の領域よりも大きい表面通路長さを有する。長い表面通路長さを有する領域は、他の領域の平面を越えて伸びる１つまたはそれ以上の変形部を有する。SELFウエブは、所定の軸線に平行な方向な伸びが生じたとき、少なくとも１つの所定の軸線に沿って伸びに対する制御された抵抗力の２つの異なる制御段階を呈する。SELFウエブは長い表面通路の長さを有する領域の大部分に生じる伸びの平面に入るようにウエブが十分に伸びるまで適用された伸びに対して第１の抵抗力を示し、その後、SELFウエブはさらなる伸びに対して第２の抵抗力を呈する。伸びに対する全体の抵抗力は、第１の領域によって形成された伸びに対する第１の抵抗力より大きい。本発明に適するSELFウエブは、参照によりここに組み込まれている1994年２月24日にロウ等によって出願された“複数領域の構造上の弾性状フィルムウエブ伸長可能なウエスト部分”と題された米国特許出願第08/203,456号にさらに詳しく説明される。
第３図及び第４図を参照すると、膨張可能な部材200は、圧縮された弾性部材215を包囲するガス不透過性エンベロープ220を有する。エンベロープ220は、２つのエンベロープ壁232及び234の間に弾性部材215を配置し、壁232と234との間で弾性部材215を圧縮し、可撓性エンベロープ壁232と234とを結合し、弾性部材215を保持する空洞を形成することによって形成することができる。
可撓性の壁232及び234は、２つの別になった部分から形成されるか、または折り曲げられた部分から形成されてもよい。第３図及び第４図において、エンベロープ220は、バックシート42と一体的であり、壁234は、バックシート42の一部であり、バックシート42の表面に直接結合される壁232と一般的である。別の例として、壁234はバックシート42から別になった材料の一部から形成することができ、膨張可能な部材200は、壁234をバックシート42の表面に固定することによってバックシート42に直接結合することができる。エンベロープ220の壁232及び234は、ガス不透過性であり、柔軟で可撓性のある材料から製造されることが好ましい。壁232及び234を製造する適当な材料は、熱可塑性フィルム、金属箔及びその薄層を含む。例えば、適当なフィルムは約0,010mm乃至約0,051mmの厚さを有するポリエチレンフィルムである。適当なポリエチレンフィルムは、Ｐ−18−1401及びHTS−5FSIIの名の下にオハイオ州シンシナチクロペイ社によって製造されている。壁232及び234を形成する他の適当な材料は、テレガルガー社によって製造されているRR8220ブローフィルム及びRR5475を含む。１つまたは双方の壁232及び234を製造する他の適当な材料は、Ｃ−8323によって指定されたテレデルガから市販されているポリエチレンフィルムである。
弾性部材215が壁232及び234の間に配置されていることによって、壁232及び234は、部材215を圧縮することによって一緒に押すことができ、部材215が圧縮されている間、壁232及び234は、熱圧縮密封、接着剤結合、超音波結合のような適当な結合方法によって継ぎ目で結合され、圧縮力が開放されたときに空気が流れ込みことを防止する。バックシート42の部分を有する壁232の周囲を壁234に結合するためにフィンドリーH2031高温溶融接着剤を使用することによって適当な継ぎ目を形成することができる。
１つの実施例において、壁232及び234の一方または双方はエンベロープ220が開放されるとき、弾性部材215の膨張に対応するためにエラストマーフィルムまたは伸長可能なフィルムから形成することができる。例えば、壁232及び234の一方または双方は、1994年２月24日のドナルドロウ等によって出願された“複数領域の構造的な弾性状フィルムウエブ伸長可能なウエスト部材を有する吸収材製品”と題された米国特許出願第08/203,456号に説明されているSELFウエブを有し、この出願は、参照によってここに組み込まれている。別の例として、壁232及び234の一方または双方は、弾性部材215の膨張に適応するために真空成形、エンボス加工、フォールディングのような方法によって予め形成されている。例えば、壁232及び234の一方または双方は、弾性部材215の膨張を適用するプリーツを有する。第３図において、壁232は長手方向に伸びるプリーツ235を有するように示されている。他の実施例において、もし、空洞を形成している壁232及び234の各々の未結合の部分が以下に説明するよりも大きいフットプリントを有する寸法である場合には、壁232及び234は弾性部材215の膨張を収容することができる。
第11図は、膨張可能な部材200を形成する１つの装置の概略図である。壁232,234及び弾性部材215は、２つのプレキシグラス1001の中間に配置されているように示されている。弾性部材215は、壁232と234との間で圧縮される前に幅W1及び自由で拘束されない厚さH1を有する。接着剤層239は、壁232及び234の部分を未結合のままにするために壁234上に間隔を置いて離れている。接着剤層239の部分の間の空隙W2は、空洞236を形成する壁232及び234の未結合部分が弾性部材215のフットプリントより大きなフットプリントを有するような寸法である。それによって壁232及び234は、弾性部材215の膨張に適応する。例えば、空隙W2はエンベロープ220の開放時に約H1の厚さまで弾性部材215の膨張に適応する合計W1＋H1より大きいまたは合計までの寸法とすることができる。別の例として空隙W2は、エンベロープ220を開放するとき弾性部材215の膨張を制限するようにさらに小さくつくることができる。圧縮負荷1000は、２つの壁232及び234を一緒に押す。適合可能部分1005は、プレキシグラス1001の１つの部分と壁232との間に配置することができる。適合部分1005は壁の表面にわたる圧縮負荷1000を分配し、壁232と234との間から空気を除去し、壁232が壁234に接着剤で結合するときに壁232のひだを減少するように作用する。圧縮の際に適合可能な部分1005のこわさは、圧縮の際に弾性部材215のこわさ以下でなければならない。適合部分1005は、弾性部材215を形成する同じ材料から形成することができ、弾性部材215の厚さ以上の厚さを有する。
第５図を参照すると、ガス不透過性エンベロープ220は、壁232,234の一方にポート222と、ポートをカバーする解放可能な閉鎖体250とを有する。解放可能な閉鎖体250は、ポート222が伸びる壁に結合されたフィルム251の部分を有する。フィルム251は、壁232及び234を形成する同じ材料から形成することができ、接着剤結合、機械的結合、加熱結合等を含むがそれには制限されない方法によってエンベロープ220に結合される。フィルムは、ポート222を露出するためにエンベロープ220から一部をまたは完全にはがすことができ、それによって空洞内で弾性部材215が膨張を行うようにエンベロープ236に空気を入れることができる。ポート222の寸法は、解放可能な閉鎖体が開放されるとき弾性部材215が膨張する速度を変化させるために変化することができる。通常、弾性部材215はポート222が増大すればする程さらに迅速に拡張する。
フィルム251はポート222が貫通する壁にフィルム251を接着する接着剤252を有する。接着剤252は、閉鎖体を開放することができ、それによってポート222をカバーし、弾性部材215の膨張によって空洞236に引かれる空気が逃げることを防止する。開放可能な閉鎖体250と共に使用する適当な圧力感応接着剤は、オハイオ州コロンバスのセンチュリー接着剤会社によって製造されたセンチュリー接着剤Ａ−305−IV、ニュージャージー州のナショナルスターチ及びケミカル社によって製造された接着剤ナンバー34−2823及びミネソタ州バドナイスハイツのH.Bフューラ社によって製造されたHL−2238−XZP及びHL−2254−XZPを含む。他の実施例において、第１の材料は、ポート222を包囲することができ、解放可能な閉鎖体250は第１の材料と共に接着される第２の材料を含む。他の実施例において、閉鎖体250はミネソタ州のミネアポリスの3M社によって製造されるスコッチブランドモデル600トランスパレントテープのようなセロファンテープの一部を有する。
他の別の実施例において、エンベロープ220は、ポート222なしに形成することができる。閉鎖体250は、比較的に低接着性の接着剤252と、第５図に示すような比較的に高接着性の接着剤254とを有する。エンベロープ220から閉鎖体250をはがす際に、高接着性の接着剤254は、エンベロープの壁をこわし、空気が入ることができるエンベロープ220の開口部を形成する。他の実施例によれば、ポート222及び解放可能な閉鎖体250を削除することができ、空気不透過性エンベロープ220は、はさみでエンベロープ220を切断するか、エンベロープ220をランセットで突き刺すことによって手動で壁をはがすことによって開放することができる。
弾性圧縮部材215は、開放可能な閉鎖体250がポート222から取り外されるときに、弾性部材215の膨張が空気を弾性部材215に、並びに弾性部材215によって占有されない空洞236の空隙に空気を引くように多孔性であることが好ましい。このような１つの実施例において、弾性部材は、多孔性スポンジを有する。他の実施例において、弾性部材215は、開放されたセル型のポリマーフォームのような開放セルフォームを有する。フォームの個々のセルは、開放セルによって、セルの壁のポリマー材料によって互いに完全には分離していないことを意味する。ここに使用するような開放セルフォームは、最初に閉鎖されており、圧縮によってレチキュレート加工されてエンベロープ220内でオープンセル構造を形成することができるフォームを含む。
弾性部材215を製造する１つの適当な多孔性フォームは、オハイオ州、シンシナチのアメリカンエクセルサ社から♯1230として市販されているポリウレタンフォームである。他の適当な多孔性開放セルフォームは、1992年９月15日にヤング等に付与された“失禁管理用の高性能の吸収材料”と題された米国特許第5,147,345号に説明されているようなハイインターナルエマルジョンをポリマー化することによって準備されたフォームである。この特許は参照によってここに組み込まれている。弾性部材215の孔の容積は、少なくとも約2ml/gramであるか、１つの実施例において、上述した米国特許第5,147,345号で測定するようにエンベロープ220で圧縮される前には約２乃至約100ml/gramの間である。孔の容積は、フォーム構造を形成する固定材料の単位量当たりの多孔性フォーム構造の開放されたセルの容積の値である。孔の容積は、弾性部材215の可撓性及び圧縮たわみ特性に影響を与える。所定の材料において、孔の容積が増大すると、可撓性が増大し、圧縮に対する抵抗が減少する。さらに、孔の容積が増大すると、弾性部材215が拡張するときエンベロープ220に引くことができる弾性部材215の単位重量当たりの空気量が減少する。従って、増大したＺ方向の厚さは、材料の比較的小さい量及び重量を有するのよって得ることができる。
弾性部材215は、米国特許第5,147,345号で測定したエンベロープ220で圧縮する前に少なくとも約５ミクロンのセルの寸法を有する。所定の材料において、弾性部材215が膨張する速度は弾性部材215のセルの寸法が大きくなると増大する。
弾性部材215は、１立方センチメートル未満のエンベロープ内で圧縮する前に所定の密度を有し、１つの実施例において、上述した米国特許第5,147,345号で測定するように、１立方センチメートル当たり約0.01乃至約0.50グラムの間の密度を有する。また弾性部材215の密度は、弾性部材の可撓性及び圧縮たわみに影響を与える。通常、所定の材料において、弾性部材215の密度が減少すると、可撓性が増大し、圧縮に対する抵抗が減少する。
１つの例として、スペーサ300は、約0.03gm/ccの密度、約32ml/グラムの孔の容積及び約50乃至約75ミクロンの間のセルの寸法とを有する多孔性開放セルの層を使用して形成される。このフォームは米国特許第5,147,345号によって製造され、米国特許第5,147,345号の例において設けられているものと同様のモノマー成分を有する。この弾性部材215は、多孔性開放セルフォームの７つの層を有し、各層は、開放領域を有する閉鎖形状を有し、各層は、他の層の形状と同じ形状を有する。各層は閉鎖形状の周囲の周りで測定して約12.7mm（0.5インチ）の幅W1（第11図）と、約30平方センチメートルの表面積を有し、各層は約30平方センチメートルの開放領域を包囲する。フォームの各層は、自由で拘束されない約0.18センチメートル（約0.070インチ）の厚さを有し、その結果、弾性部材215は、圧縮の前に1.24センチメートル（約0.49インチ）のＺ方向の厚さH1を有する。フィンドリH2031接着剤は、ポリエチレンの第１のシートの一方の側に適用され、ポリエチレンのシートは、約0,0010（0.025mm）の厚さを有する。接着剤は、閉鎖形状を有する自由領域を残すようにポリエチレンのシートに適用される。接着剤の自由領域は、弾性部材215を形成する層の面積より大きい突出領域を有し、それによって弾性部材215の膨張を収容するような寸法である。接着剤自由領域の周囲の周りの点の接着剤の自由領域の幅W2（第11図）は、約2.54センチメートル（1.0インチ）または高さH1プラス幅W1に等しい。1.3センチメートル（約0.5インチ）の直径を有するポート222は、ポリエチレンの第１のシートに切断され、接着剤が適用されないポリエチレンの第１のシートの側のスコッチブランドモデル600の一部でカバーされる。
フォームの７つの層は、ポリエチレンの第１のシートとポリエチレンの第２のシートとの間に配置されている。フォームの７つの層は、ポリエチレンの２つのシートと７つの層のフォームを第11図に示すようなプレキシガラスの２つの部分の間に一緒に押すことによって圧縮される。圧縮負荷は約28psiである。圧縮負荷を維持する間、ポリエチレンの第１及び第２のシートの縁部は、スペーサの周縁の周りでシートを接着剤で結合するために一緒に押され不透過性のエンベロープを形成する。
ポリエチレンのシート及び圧縮されたフォームの７つの層の双方の厚さを含むスペーサの厚みは、0.4センチメートル（約0.150インチ）である。透明テープの部分は、ポート222から外され、スペーサのＺ方向の厚みは所定の時間間隔で測定される。Ｚ方向の厚みは、ダイヤルインジケータを使用して測定され、1.0平方インチの表面積を有する負荷フットを備えたスペーサに適用される閉塞圧力を有する約0.24psiの閉塞圧の下で測定された。スペーサは、第１のポリエチレンシートのポートからテープを取り外した後、次の回数でＺ方向の厚みを有する。
開放後の時間           厚み
0秒           0.38cm（0.150インチ）
5秒           0.44cm（0.175インチ）
10秒           0.48cm（0.190インチ）
30秒           0.65cm（0.255インチ）
45秒           0.74cm（0.290インチ）
２分           1.02cm（0.402インチ）
５分           1.17cm（0.460インチ）
第１図乃至第４及び第６図を参照すると、膨張可能な部材200は、吸収材製品と着用者の皮膚との間から排出される身体の液体の漏れを低減するシール400を有する。このようなシール400は、前方及び後方のウエスト領域22にそれぞれ配置されたウエスト領域シール400A及び400Bと、サイド境界58に配置されたサイド境界シール400C及び400Dを有する。シール400の各々は、空気不透過性エンベロープ220内に配置された圧縮された弾性部材215を有する。
ウエスト領域のシール400A,Bは、各々がほぼ側方に伸びている弾性部材215を有し、サイド境界シール400C,Dの各々は、長手方向に伸びる弾性部材215を有する。弾性部材215は、第３図及び第４図に示すようにトップシート38とバックシート42の中間に配置されている。第３図、第４図及び第６図を参照すると、シール400は弾性部材215を包囲するエンベロープ220の開口時に第１の厚さより大きい第２の厚さに膨張する。
第２図及び第６図を参照すると、おむつ20は、サイド境界シール400Eを有し、各サイド境界シール400Eは、障壁レグカフ60と協働する。各レグカフ60は、側方境界58のおむつの下側部分に接続されている近位縁62と、近位縁から間隔を置いた遠位縁64とを有する。遠位縁64は、遠位縁64をトップシート38の身体に面する面39から遠位縁64の間隔を置いた弾性部材のようなスペーシング部材67を有する。
本発明による障壁カフ60は、不透過性のエンベロープ220内に配置された弾性部材215を有する。空気不透過性エンベロープ220は第１の可撓性壁232及び第２の可撓性壁234とを有する。壁232及び234の各々は、ポリエチレンフィルムのようなプラスティックフィルムを有する。壁232及び234は、遠位縁及び近位縁62及び64の長さ並びに前方及び後方ウエスト領域22及び24に配置された障壁レグカフの端部に沿って一緒に結合することができる。第６図に示す実施例において、壁232は、近位縁62でトップシートに結合されている。壁232は接着剤、超音波、機械的なまたは加熱結合を有するが、それには制限されない適当な手段によってトップシート38に結合することができる。壁234は、折り曲げられてスペース部材67を収容する縁を形成し、遠位縁64に沿って壁232に接続されている。
壁234は解放可能な閉鎖体250によってカバーされるポート222を有する。閉鎖体250を外したときに、弾性部材215は圧縮形状から膨張する。弾性部材215の膨張は、おむつ20と着用者の皮膚の間に密封を形成する。また弾性部材215の膨張は、トップシート38からの遠位縁64との間に間隔を形成し、それによって障壁レグカフ60とトップシート38との中間に溝69を形成する。溝69は、サイド境界58と着用者の皮膚との間から漏れる液体及び固体の身体の排泄物を保持する。第６図は、スペース部材67と膨張可能シール400Eの双方を有する障壁カフ60を示している。別の例として、スペース部材67を省略することができる。スペース部材67が省略されている実施例において、シール400Eは、障壁カフ60の遠位縁64に配置することができる。
第７図乃至第10図は、本発明による生理用ナプキン720を示している。第７図及び第８図は、可撓性ラッパ860に詰められた個々にパックされた生理用ナプキン720を示している。可撓性ラッパ860は、内面861及び外面863を有する。生理用ナプキン720は、内面861に接続され、２つの間隔を置いて離れた折曲線852及び853に沿って可撓性ラッパ860を有する１つのユニットとして折り曲げられる。折曲線852及び853は可撓性ラッパ860を３つのパネル862,864及び866に分割する。ラッパ860及び生理用ナプキン720は第７図に閉鎖されて折り曲げられた形状で示され、第８図に完全に広げられた形状で示されている。
ラッパ860は、使用前に生理用ナプキン20を汚れから保護する。可撓性ラッパ860は紙、熱可塑性フィルム、金属箔またはその薄層をを含むが、それには制限されない。可撓性ラッパを形成する適当な材料は、約0.0025ミリメートル（約１ミル）の厚さを有するポリエチレンフィルムを有する。折られたラッパ860は、２つまたはそれ以上のパネル862−866を熱的にまたは接着剤によって一緒に結合することによってパッケージ縁部870に沿って密封することができる。パネル862のフラップ縁部868は、テープ869の一部によって下のパネル866に結合することができる。
生理用ナプキン720は長手方向の中心線736と、側方の中心線734とを有する。生理用ナプキン720は、身体に面する面739を有する液体透過性トップシート738と、トップシート738に接続されており、下着に面する面743を有する体不透過性バックシート742と、トップシート738とバックシート742との中間に配置された吸収材コア744を有する。
生理用ナプキン720は、（第８図に破線で示す）膨張可能な部材200を有する。膨張可能な部材200は、第９図及び第10図に示すようにガス不透過性エンベロープ220に配置されている圧縮された弾性部材215を有する。膨張可能な部材200は、空気不透過性エンベロープ220を開けたときに第１のＺ方向の厚さT3を有する圧縮された形状から第１の厚さT3より大きい第２のＺ方向の厚さT4を有する膨張した形状まで膨張する。好ましくは、第２の厚さT4は、第１の厚さT3の少なくとも２倍になることが好ましい。それによって拡張可能な部材200は生理用ナプキン720のＺ方向の厚みを増大する。圧縮され及び膨張した形状は、それぞれ第９図及び第10図に示されている。膨張した形状において、膨張可能な部材200は、身体からの排泄物の獲得性を向上させ、着用者の下着の汚れを低減する。
トップシート738と、バックシート742と、吸収コア744が種々の公知の形状で組み立てられる間、適当な形状は、1991年４月16日にオズボーンに付与された米国特許第5,007,906号、1990年８月21日、1984年１月10日にデスマラスに発行された米国特許第4,425,130号、1982年３月30日にアールに発行された米国特許第4,321,924号、1987年８月18日にヴァンチルバーグに発行された米国特許第4,589,876号に示されている。これらの特許は生理用ナプキン720の部品の組み立てを説明する目的で参照によりここに組み込まれている。
トップシート738は、その厚さを通して容易に液体が浸透することができる液体透過性である。適当なトップシート738は織物及び不織布、有孔成形熱可塑性フィルム及び熱可塑性スクリムのような広範な材料から製造することができる。適当なトップシート738は、有孔成形フィルムを有する。適当に形成されたフィルムは、1975年12月30日にトンプソンに付与された米国特許第3,929,135号、1982年８月３日にラデル等に発行された米国特許第4,324,246号、1982年８月３日にラデル等に付与された米国特許第4,342,314号、1984年７月31日にアールに発行された米国特許第4,463,045号、1991年４月９日にバードに発行された米国特許第5,006,394号に示されている。これらの特許の各々は参照によってここに組み込まれている。適当に成形されたフィルムのトップシート734は、オハイオ州シンシナチのプロクター及びギャンブル社によってドライウイーブとして生理用ナプキンについて市販されている。トップシート738の身体に面する表面739は、トップシート738を通って身体の液体の転移を向上するために親水性である。表面活性剤は成形フィルムのトップシートのポリマー材料に組み込むことができ、また別の案としてトップシートの身体に面する面739は、上述したオズボーンに付与されたような表面活性剤で処理することもできる。
バックシート742は液体不透過性であり、薄いプラスティックフィルムから製造することができるが、他の液体不透過性材料も使用することができる。適当なバックシート742は、約0.010mm乃至約0.051mmの厚さを有するポリエチレンフィルムから製造される。バックシート742を形成する適当なフィルムは、オハイオ州シンシナチのクロペイ社によってP18−1401としてインジアナ州テレホーテのエチル社によってXP39385によって製造される。
別の例として、トップシート738及びバックシート742は伸長性を有し、エラストマーまたは伸長可能なフィルムを形成することができる。例えば、バックシート742またはバックシート742の部分は、上述したような構造的な惰性状フィルム（SELF）ウエブを有する。本発明に適したSELFウエブは、参照によりここに組み込まれている1994年２月24日にドナルドロウによって出願された“複合構造弾性状フィルムウエブ伸長可能なウエスト部分を有する吸収材製品”と題された米国特許第08/203,456号にさらに完全に説明されている。
吸収コア744は、液体（例えば、メンス及び／または尿）を吸収し保持することができる吸収手段である。吸収コアは種々の広範な寸法及び形状（例えば、矩形、楕円形、砂時計等）の形状でエアフェルトと称される細かくされた木のパルプのような広範な液体吸収材料から製造される。他の適当な材料は、クリープセルロースワッディング；メルトブローポリマー、化学的に補強され、変形されたまたは架橋結合されたセルロース繊維；組織ラップ及び組織薄層を含む組織、吸収材スポンジ、超吸収材ポリマー及びこれらの組み合わせを有する。本発明の吸収材コア744として適当な吸収材の構造は、1991年４月16日にオズボーンに発行された米国特許第5,007,906号、1990年８月21日に米国特許第4,950,264号、1986年９月９日にワイズマン等に付与された米国特許第4,610,678号、1989年アレマニー等に付与された米国特許第4,834,735号、ヂュアンク等の名称で1986年10月22日に発行されたヨーロッパ特許出願第0198683号に説明されており、これらの特許の各々は、吸収コア744の適当な構造及び材料を示す目的で参照によりここに組み込まれている。
また生理用ナプキン720は、側方に伸びる一対のフラップ752を有することができる。フラップ752は、フラップ752が着用者のパンティとももの縁部の間に配置されるようにクロッチ領域に着用者のパンティの縁部上にたれる。フラップ752は着用者のパンティにフラップ752を固定し、それによって生理用ナプキン720をパンティの適当な位置に保持する。フラップリリースペーパ753の部分は、生理用ナプキン720がラッパ860の内側に折られている間、トップシート738に重なる折り曲げられた状態にフラップ752を保持するために各フラップ752のフラップ接着剤754に係合する。フラップ752は、リリースペーパー753が接着剤754からはがされるときに（第８図に点線で示すように）折り戻される。次の米国特許は、フラップ752を有する生理用ナプキンを示す目的で参照により個々に組み込まれている。それらの特許は、オズボーンに1990年８月21日に付与された米国特許第4,950,264号、1986年５月20日にバンチルバーグに付与された米国特許第4,589,876号、1986年８月26日にマッチィングに発行された米国特許第4,608,047号、1987年８月18日にバンチルバーグに付与された米国特許第4,687,48号、1991年４月16日にオズボーン等に付与された米国特許第5,007,906号である。フラップ752は明らかにするために第９図及び第10では省略されている。
また生理用ナプキン720は、バックシート742の下着に面する面743を着用者のパンティに接続するために下着取付接着剤760（第８図）を有する。ラッパリリースペーパのスリップ900は、着用者が生理用ナプキンを着用者の下着に容易に固定するまで下着取付接着剤760をカバーする。リリースペーパー900のストリップは、第１の表面902及び反対側に面する面904を有する。第１の表面902は、下着取付接着剤760によってバックシート742の下着に面する面に接続され、リリースペーパー900の第２の表面は、ラッパ接着剤（図示せず）によって可撓性ラッパ860の内面861に接続される。第１の表面902は、表面902とバックシート742との間の接着剤結合が、表面904と可撓性ラッパ860との間の接着剤結合より低い強度を有するようにシリコンを有するコーティングで反りされることが好ましい。このような差は、リリースペーパ900が消費者がラッパ860から生理用ナプキン720を分離するときに好ましい。下着取付接着材760は、圧力感応接着材から成る。適当な接着材は、オハイオ州コロンバスのセンチュリ接着剤会社によって製造されている接着材Ａ−305−IV、ニュジャージー州のブリッジウオターのナショナルスターチ及びケミカル社によって製造される接着材ナンバー34−2823、ミネソタ州のバドナイスハイツのH.B.フューラ社によって製造されるフューラ接着材ナンバーHL−2238−XZP及びHL−2254−XZPを含む。適当なリリースペーパー900は、ウイスコンシン州のマナーシャのアクロシル社によってBL30MG−ＡシロックスE1/O及びBL30MG−Ａシロックス4P/Oとして製造されている。
第９図及び第10図を参照すると、膨張可能な部材200は、２つのエンベロープ232及び234を有するガス不透過性エンベロープ220に収容されている圧縮された弾性部材215を有する。第９図及び第10図において、エンベロープ220は、バックシート742と一体的であり、壁234はバックシート742の一部を有し、壁232はバックシート742の表面に直接接続されている。別の例として壁234はバックシート742から分離した材料の部分から形成される。
エンベロープ220の壁232及び234は、ガス不透過性であり、柔らかで柔軟な材料から製造されることが好ましい。壁をつくる適当な材料は、熱可塑性フィルムを含む。例えば、適当なフィルムは、約0,010mm乃至約0.051mmの厚さを有するポリエチレンフィルムである。適当なポリエチレンフィルムはオハイオ州シンシナチのクロペィ社によってＰ−18−1401として、及びインジアナ州テレホーテのテレデゲル社によってX8297及びHTS−5,FSIIとして製造されている。壁232及び234を形成する他の適当な材料は、テレデゲル社によってRR8220ブローフィルム及びRR5475カストフィルムを含む。
１つの実施例において、壁232及び234の一方及び双方は、弾性部材215の膨張に適合するためにエラストマーまたは伸長可能なフィルムから形成される。例えば、壁232及び234の一方または双方は、1994年２月24日にドナルドＣロウ等によって“複合領域構造の弾性状フィルムウエブ伸長可能なウエスト部を有する吸収材製品”と題された米国特許出願番号第08/203,456号に説明されているSELFウエブを有する。この出願は参照によりここに説明されている。別の例として、壁232及び234の一方または双方は、弾性部材215の膨張に適合するために真空形成、エンボス加工またはフォールディングのような予め形成することができる。例えば、壁232及び234の一方または双方は、弾性部材215の膨張に適合するプリーツを有する。第９図において、壁232は長手方向に伸びるプリーツ235を有するように示されている。
第９図及び第10図を参照すると、ガス不透過性エンベロープは、ラッパリリースペーパ900が接着剤で適合されるバックシート742の部分にポート222を有する。図９に示すように、リリースペーパー900はポート222をカバーし、壁232と壁234との間の空洞236に空気が入ることを防止する。リリースペーパ900及び下着取付接着剤760は、ポート222をカバーする解放可能な閉鎖体を有する。消費者が、生理用ナプキン720から可撓性ラッパ860を取り外すときに、リリースペーパ900は、ラッパ860に接着したままである。ポート222は第10図に示すように、空洞236内で圧縮された弾性部材215が膨張することができるようにカバーが外される。別の例として、エンベロープ220はポート222をカバーする解放可能な閉鎖体を有する。他の実施例において、ポート222を省略することができ、空気不透過性エンベロープ220は、壁を手で破り、はさみでエンベロープ220を切断するか、ランセットでエンベロープ220に穴を開けることによって開放される。
弾性圧縮部材215は、開放可能な閉鎖体250がポート222から除去されたとき、弾性部材215の膨張が弾性部材215は、また弾性部材には占有されていない空洞236の空隙に空気を引くように多孔性であることが好ましい。他の実施例において、弾性部材は、多孔性スポンジである。他の実施例において、弾性部材215は、開放されたセルポリマーフォームのような開放セルフォームを有する。弾性部材215を製造する１つの適当な多孔性フォームはオハイオ州シンシナチのアメリカンエクセルサ社から♯1230フォームとして市販されているようなポリウレタンフォームである。他の適当な多孔性、開放されたセルフォームは、ヤング等の名称で1992年９月15日に付与された“失禁管理における高性能の吸収材料”と題された米国特許第5,147,345号のようなハイインターナル位相エマルジョンを重合することによって準備されたフォームである。
膨張可能な部材200は、バックシート742とトップシート738との中間に配置することができる。第９図及び第10図において、圧縮された弾性部材215はバックシート742と吸収コア744との間の中間に配置されている。圧縮された弾性部材215は、身体からの液体の獲得性を向上するためにバックシート742に対してトップシート738と吸収コア744の一部の変位を行う。圧縮された弾性部材215は第８図の点線に示すように長手方向の中心線736に沿って伸びている。弾性部材215は、長手方向の中心線736に沿って身体に面する面の一部を凸型に成形し、長手方向の中心線に沿って生理用ナプキン720のＺ方向の厚さを増大して着用者の身体、特に陰唇、ペリアナル（perianal）及び臀部の溝領域において、トップシート734が適合するように補助を行う。１つの実施例において、弾性部材215は、圧縮前に約1cmと約2.0cmとの間のｚ方向の自由に拘束されない厚さと、約1cmから約2.0cmの間の側方の幅とを有する。他の実施例において、弾性部材215のｚ方向の厚さは、長手方向の中心線736に沿って変化し、それによって身体の陰唇、ペリアナル（perianal）及び臀部の溝領域の選択的に適合するために生理用ナプキン720の長さに沿ってトップシート738及びコア744に変位における変化を提供する。第８図乃至第10図においては長手方向に伸びる弾性部材215のみが示されている。他の実施例においては、複数の弾性部材215を含む。弾性部材215は分離した、または相互に結合された空気不透過性エンベロープ220に配置されている。第９図乃至第10図に示す実施例において、弾性部材215はバックシート742とトップシート738との中間に配置される。他の実施例において、膨張可能な部材は着用者の下着から生理用ナプキン720を移動するために生理用ナプキン720の下着に面する表面743に接続することができる。
上述した実施例において弾性部材は、空気不透過性エンベロープ内に配置される。他の実施例において、弾性部材215は、空気透過性または空気不透過性のいずれかであるエンベロープによって圧縮形状で保持される。例えば、壁232及び234の一方または双方は空気透過性であり、壁232及び234が弾性部材215の膨張を制限するような寸法の接着剤空隙W2（第11図参照）を有する。弾性部材215は、圧縮状態で弾性部材215を保持するエンベロープの一部を除去することによって使い捨て吸収材製品の使用時点で膨張することができる。例えば、弾性部材215は、やぶるかはがすことによって壁234から壁232を除去することによって膨張することができる。第８図を参照すると、他の実施例において、弾性部材を圧縮形状で保持することができるエンベロープはラッパ860を有する。弾性部材215は折曲線852及び853の周りで１つのユニットとして生理用ナプキン720及びラッパ860が折り曲げられるとき、圧縮することができる。ラッパはつぎに折り曲げられ密封されたラッパ860内で弾性部材215を圧縮したまま保持するために縁部870に沿って密封される。弾性部材215は、ラッパ860が開放され生理用ナプキン720から外されるとき膨張することができる。
本発明の特定の実施例を図示し説明したが、本発明の範囲を請求の範囲で定義する。
【図１】
0003646810.tif 000002
【図３】
0003646810.tif 000003
【図２】
0003646810.tif 000004
【図４】
0003646810.tif 000005
【図５】
0003646810.tif 000006
【図６】
0003646810.tif 000007
【図７】
0003646810.tif 000008
【図８】
0003646810.tif 000009
【図９】
0003646810.tif 000010
【図１０】
0003646810.tif 000011
【図１１】
0003646810.tif 000012